(57)【特許請求の範囲】
【請求項１】
コネクタハウジングと、このコネクタハウジングに取り付けられる防水用グロメットとを備え、
前記コネクタハウジングは、パネルの取付穴に挿入されるハウジング本体と、このハウジング本体の後端に鍔状に張り出し形成されて前記取付穴の周縁に当接可能なフランジと、前記フランジとの間にパネルを挟むように前記ハウジング本体の外周に突出形成された係止突起と、を備え、
前記防水用グロメットは、前記フランジの外周を包むように前記フランジに取り付けられるフランジ取付部と、前記ハウジング本体の後端から延出する電線を収容するように該フランジ取付部に連設された管状部と、を備え、
前記係止突起と前記フランジとが前記取付穴の周縁を挟むとき、前記フランジ取付部に一体形成されたパネル接触部が前記取付穴の周縁に押圧接触することで、前記パネルと前記コネクタハウジングとの嵌合部が封止されるグロメット付きコネクタであって、
前記フランジは、複数の可撓片と、その両側のフランジ外周部と、から構成され、前記複数の可撓片は、周方向の複数箇所に分散配置されて前記フランジ取付部の内面を前記係止突起側に付勢して、前記パネル接触部が密着可能なパネルの適正板厚範囲が拡大するように、前記パネル接触部に前記係止突起側への弾性変位を付与することを特徴とするグロメット付きコネクタ。
【請求項２】
前記可撓片は、前記フランジの外周の一部を一対の切り込みによりに周囲と切り離した舌状の部位であることを特徴とする請求項１に記載のグロメット付きコネクタ。
【請求項３】
前記切り込み部分で前記パネル接触部に弛みが生じないように、前記可撓片の両側のフランジ外周部に前記係止突起側に突出するように設けられ、前記フランジ取付部の内面を前記係止突起側に付勢する弛み防止片を備え、
前記弛み防止片は、前記パネル接触部が前記取付穴の周縁に密着する際には、パネル接触部に作用する応力で前記可撓片よりパネル側に突出しない位置に変位又は変形するように、前記可撓片よりも強度が低く設定されていることを特徴とする請求項２に記載のグロメット付きコネクタ。
【発明の詳細な説明】
【技術分野】
【０００１】
本発明は、コネクタハウジングとこのコネクタハウジングに取り付けられる防水用グロメットとを備えて、前記コネクタハウジングを取り付けるパネルの取付穴の周縁に前記グロメットを密着させることで、前記パネルと前記コネクタハウジングとの嵌合部が封止されるグロメット付きコネクタに関する。
【背景技術】
【０００２】
図１２〜図１４は、下記特許文献１に開示されたグロメット付きコネクタを示したものである。
【０００３】
このグロメット付きコネクタ１００は、筐体であるパネル１４０の取付穴１４１に嵌合装着されるコネクタハウジング１１０と、このコネクタハウジング１１０に取り付けられる防水用グロメット１２０と、を備える。
【０００４】
図１２において、矢印Ｘはコネクタハウジング１１０の幅方向、矢印Ｙはコネクタハウジング１１０の上下方向、矢印Ｚは、コネクタハウジング１１０の取付穴１４１への挿入方向を示している。
【０００５】
コネクタハウジング１１０は、パネル１４０の取付穴１４１に挿入されるハウジング本体１１１と、このハウジング本体１１１の後端に鍔状に張り出し形成されて取付穴１４１の周縁に当接可能なフランジ１１２と、フランジ１１２との間にパネル１４０を挟むようにハウジング本体１１１の外周に突出形成された係止突起１１３と、を備える。
【０００６】
ハウジング本体１１１は、複数の端子収容孔１１５が整列状態に装備されている。端子収容孔１１５には、パネル１４０内の回路に接続する端子金具が装着される。
【０００７】
係止突起１１３は、図１３にも示すように、内方（図１３の矢印Ｘ１方向）に弾性変位可能な弾性片１１４の先端に設けられた突起で、フランジ１１２との間に、取付穴１４１の周縁を挟む隙間Ｓを形成している。また、係止突起１１３は、ハウジング本体１１１を取付穴１４１に挿入する際には、弾性片１１４の撓みによりハウジング本体１１１内に退避して、取付穴１４１への挿通を可能にする。
【０００８】
防水用グロメット１２０は、フランジ１１２の外周を包むようにフランジ１１２に取り付けられるフランジ取付部１２１と、ハウジング本体１１１の後端から延出する電線を収容するように該フランジ取付部１２１に連設された管状部１２２と、を備えている。
【０００９】
フランジ取付部１２１は、その内周部に、フランジ１１２の外周が緊密嵌合する嵌入溝１２１ａが設けられている。嵌入溝１２１ａにフランジ１１２を嵌入させることで、防水用グロメット１２０がコネクタハウジング１１０の後端に結合された状態になる。
【００１０】
また、フランジ取付部１２１のパネル１４０側の面には、パネル１４０と接触することで防水性を発揮するパネル接触部としてのリップ部１２１ｂが、取付穴１４１の周囲を周回する環状に突設されている。
【００１１】
防水用グロメット１２０が装着されたコネクタハウジング１１０をパネル１４０に挿入して、コネクタハウジング１１０の係止突起１１３を取付穴１４１の裏面側の周辺に係止させると、係止突起１１３とフランジ１１２とが取付穴１４１の周縁を挟む取り付け状態となる。このとき、図１４に示すように、リップ部１２１ｂがパネル１４０の取付穴１４１の周縁に密着して、パネル１４０とコネクタハウジング１１０との嵌合部が防水用グロメット１２０により封止された状態が得られる。
【先行技術文献】
【特許文献】
【００１２】
【特許文献１】特開２０１０−１０２８７２号公報
【発明の概要】
【発明が解決しようとする課題】
【００１３】
ところが、上述した特許文献１のグロメット付きコネクタ１００は、フランジ１１２は単純な平板状で、フランジ１１２と係止突起１１３とが形成する隙間は、固定である。
【００１４】
そのため、パネル１４０の板厚が基準より小さい場合には、パネル１４０に対してリップ部１２１ｂの密着性が低下して、防水性が低下するおそれがあった。
【００１５】
また、パネル１４０の板厚が基準より大きい場合には、リップ部１２１ｂに加わる変形が過大になるために、強大な取り付け操作力が必要となり、取り付け性が悪化するおそれがあった。
【００１６】
そこで、本発明の目的は、上記課題を解消することに係り、パネルとグロメットの密着性やパネルへの取り付け時の操作力がパネルの板厚のばらつきによって悪化することがなく、パネルの板厚のばらつきに関係なく、良好な防水性と、取り付け性を維持することができるグロメット付きコネクタを提供することにある。
【課題を解決するための手段】
【００１７】
本発明の前述した目的は、下記の構成により達成される。
（１）コネクタハウジングと、このコネクタハウジングに取り付けられる防水用グロメットとを備え、
前記コネクタハウジングは、パネルの取付穴に挿入されるハウジング本体と、このハウジング本体の後端に鍔状に張り出し形成されて前記取付穴の周縁に当接可能なフランジと、前記フランジとの間にパネルを挟むように前記ハウジング本体の外周に突出形成された係止突起と、を備え、
前記防水用グロメットは、前記フランジの外周を包むように前記フランジに取り付けられるフランジ取付部と、前記ハウジング本体の後端から延出する電線を収容するように該フランジ取付部に連設された管状部と、を備え、
前記係止突起と前記フランジとが前記取付穴の周縁を挟むとき、前記フランジ取付部に一体形成されたパネル接触部が前記取付穴の周縁に押圧接触することで、前記パネルと前記コネクタハウジングとの嵌合部が封止されるグロメット付きコネクタであって、
前記フランジは、複数の可撓片と、その両側のフランジ外周部と、から構成され、前記複数の可撓片は、周方向の複数箇所に分散配置されて前記フランジ取付部の内面を前記係止突起側に付勢して、前記パネル接触部が密着可能なパネルの適正板厚範囲が拡大するように、前記パネル接触部に前記係止突起側への弾性変位を付与することを特徴とするグロメット付きコネクタ。
【００１８】
（２）前記可撓片は、前記フランジの外周の一部を一対の切り込みによりに周囲と切り離した舌状の部位であることを特徴とする上記（１）に記載のグロメット付きコネクタ。
【００１９】
（３）前記切り込み部分で前記パネル接触部に弛みが生じないように、前記可撓片の両側のフランジ外周部に前記係止突起側に突出するように設けられ、前記フランジ取付部の内面を前記係止突起側に付勢する弛み防止片を備え、
前記弛み防止片は、前記パネル接触部が前記取付穴の周縁に密着する際には、パネル接触部に作用する応力で前記可撓片よりパネル側に突出しない位置に変位又は変形するように、前記可撓片よりも強度が低く設定されていることを特徴とする上記（２）に記載のグロメット付きコネクタ。
【００２０】
上記（１）の構成によれば、フランジに取り付けられた防水用グロメットは、複数の可撓片によって、パネル接触部がハウジング本体の外周の係止突起側へ弾性変位していて、フランジが上記の可撓片を有しない単純な平板状の場合と比較すると、パネル接触部の可動範囲が増大する。
【００２１】
そのため、パネル接触部が適正な密着度となるパネルの板厚範囲が広がり、例えば、パネルの板厚が基準より小さい場合にも、パネルに対してパネル接触部の密着性が低下することを抑止して、防水性の低下を防止することができる。また、例えば、パネルの板厚が基準より大きい場合にも、フランジの可撓片の撓み変位がパネル接触部に作用する圧縮を緩和して、パネル接触部の圧縮変形が過大になることを抑止するため、取り付け操作力が大きく増大することがなく、取り付け操作力の増大に起因した取り付け性の悪化を防止することができる。
【００２２】
従って、パネルとグロメットの密着性やパネルへの取り付け時の操作力がパネルの板厚のばらつきによって悪化することがなく、パネルの板厚のばらつきに関係なく、良好な防水性と、取り付け性を維持することができる。
【００２３】
上記（２）の構成によれば、フランジに装備される複数の可撓片は、フランジの外周に切り込みを入れるだけでよく、可撓片の装備が容易になると同時に、可撓片の装備によってフランジが重厚化することができる。
【００２４】
上記（３）の構成によれば、フランジに装備された弛み防止片が切り込み部分でパネル接触部に弛みが生じることを防止するため、パネルとパネル接触部との間に防水性の低下を招く弛み皺ができることを防止して、防水性の向上を図ることができる。
【００２５】
また、弛み防止片は、可撓片よりも強度が低いため、パネルの板厚等に相応する可撓片の変形動作が、弛み防止片の剛性により阻害されることがない。従って、パネル接触部とパネルとの密着度を可撓片の変位動作により適正に維持することが可能になり、パネルの板厚のばらつきに関係なく、安定した防水性を確保することが可能になる。
【発明の効果】
【００２６】
本発明によるグロメット付きコネクタによれば、フランジに取り付けられた防水用グロメットは、複数の可撓片によって、パネル接触部がハウジング本体の外周の係止突起側へ弾性変位していて、フランジが上記の可撓片を有しない単純な平板状の場合と比較すると、パネル接触部の可動範囲が増大する。
【００２７】
そのため、パネルとグロメットの密着性やパネルへの取り付け時の操作力がパネルの板厚のばらつきによって悪化することがなく、パネルの板厚のばらつきに関係なく、良好な防水性と、取り付け性を維持することができる。
【図面の簡単な説明】
【００２８】
【図１】本発明に係るグロメット付きコネクタの一実施形態の分解斜視図である。
【図２】図１に示したコネクタハウジングの前面側からの斜視図である。
【図３】図１のコネクタハウジングのＡ部の拡大図である。
【図４】図１のコネクタハウジングのＢ部の拡大図である。
【図５】一実施形態のコネクタハウジングにおける係止突起と弛み防止片との突出長の相異を示す斜視図である。
【図６】一実施形態のコネクタハウジングに防水用グロメットが装着された状態の斜視図である。
【図７】一実施形態のコネクタハウジングのフランジ部に取り付けられた防水用グロメットのフランジ取付部が弛み防止片により緊張させられている状態の説明図である。
【図８】一実施形態のコネクタハウジングの切り込みの両側に作用する緊張力の説明図である。
【図９】一実施形態のグロメット付きコネクタがパネルに取り付けられた状態の斜視図である。
【図１０】一実施形態のグロメット付きコネクタがパネルに取り付けられた状態の側面図である。
【図１１】一実施形態のグロメット付きコネクタがパネルに取り付けられて状態における可撓片の周辺の説明図である。
【図１２】従来のグロメット付きコネクタの分解斜視図である。
【図１３】図１２に示したコネクタハウジングの係止突起周辺の拡大図である。
【図１４】図１２に示したグロメット付きコネクタのパネルに取り付けた状態の側面図である。
【発明を実施するための形態】
【００２９】
以下、本発明に係るグロメット付きコネクタの好適な実施形態について、図面を参照して詳細に説明する。
【００３０】
図１〜図１１は本発明の一実施形態のグロメット付きコネクタを示したもので、図１は一実施形態のグロメット付きコネクタの分解斜視図、図２は図１に示したコネクタハウジングの前面側からの斜視図、図３は図１のコネクタハウジングのＡ部の拡大図、図４は図１のコネクタハウジングのＢ部の拡大図、図５は一実施形態のコネクタハウジングにおける係止突起と弛み防止片との突出長の相異を示す斜視図、図６は一実施形態のコネクタハウジングに防水用グロメットが装着された状態の斜視図、図７は一実施形態のコネクタハウジングのフランジ部に取り付けられた防水用グロメットのフランジ取付部が弛み防止片により緊張させられている状態の説明図である。図８は一実施形態のコネクタハウジングの切り込みの両側に作用する緊張力の説明図、図９は一実施形態のグロメット付きコネクタがパネルに取り付けられた状態の斜視図、図１０は一実施形態のグロメット付きコネクタがパネルに取り付けられた状態の側面図、図１１は一実施形態のグロメット付きコネクタがパネルに取り付けられて状態における可撓片の周辺の説明図である。
【００３１】
この一実施形態のグロメット付きコネクタ１は、筐体であるパネル１４０の取付穴１４１に嵌合装着されるコネクタハウジング１０と、このコネクタハウジング１０に取り付けられる防水用グロメット１２０とを備える。
【００３２】
図１において、矢印Ｘはコネクタハウジング１０の幅方向、矢印Ｙはコネクタハウジング１０の上下方向、矢印Ｚは、コネクタハウジング１０の取付穴１４１への挿入方向を示している。
【００３３】
コネクタハウジング１０は、パネル１４０の取付穴１４１に挿入されるハウジング本体１１と、このハウジング本体１１の後端に鍔状に張り出し形成されて取付穴１４１の周縁に当接可能なフランジ１２と、フランジ１２との間にパネル１４０を挟むようにハウジング本体１１の外周に突出形成された係止突起１３と、を備える。
【００３４】
ハウジング本体１１は、複数の端子収容孔１５が整列状態に装備されている。端子収容孔１５には、パネル１４０内の回路に接続する端子金具が装着される。
【００３５】
本実施形態のフランジ１２は、周方向の複数箇所に、可撓片１６が分散配置されている。可撓片１６は、図３及び図４に示すように、フランジ１２の外周の一部を一対の切り込み（スリット）１７によって周囲と切り離した舌状の部位である。可撓片１６は、本来のフランジ１２の表面からパネル１４０側に突出するように設けられている。更に、図３〜図５に示すように、可撓片１６の両側のフランジ１２の外周部には、弛み防止片１８が、備えられている。
【００３６】
これらの可撓片１６及び弛み防止片１８については、防水用グロメット１２０の説明の後で、補足説明する。
【００３７】
係止突起１３は、図３にも示すように、内方（図３の矢印Ｘ２方向）に弾性変位可能な弾性片１４の先端に設けられた突起で、フランジ１２との間に、取付穴１４１の周縁を挟む隙間Ｓ１を形成している。また、係止突起１３は、ハウジング本体１１を取付穴１４１に挿入する際には、弾性片１４の撓みによりハウジング本体１１内に退避して、取付穴１４１への挿通を可能にする。
【００３８】
防水用グロメット１２０は、図１２に示したものと、同様の構成のものである。即ち、防水用グロメット１２０は、図１に示すように、フランジ１２の外周を包むようにフランジ１２に取り付けられるフランジ取付部１２１と、ハウジング本体１１の後端から延出する電線を収容するように該フランジ取付部１２１に連設された管状部１２２と、を備えている。
【００３９】
フランジ取付部１２１は、その内周部に、フランジ１２の外周が緊密嵌合する嵌入溝１２１ａが、設けられている。嵌入溝１２１ａにフランジ１２を嵌入させることで、防水用グロメット１２０がコネクタハウジング１０の後端に結合された状態になる。
【００４０】
また、フランジ取付部１２１のパネル１４０側の面には、パネル１４０と接触することで防水性を発揮するパネル接触部としてのリップ部１２１ｂが、取付穴１４１の周囲を周回する環状に突設されている。
【００４１】
次に、可撓片１６及び弛み防止片１８について、補足説明する。
まず、可撓片１６について説明する。
【００４２】
本来のフランジ１２の表面からパネル１４０側に突出するように設けられている複数個の可撓片１６は、図１６に示すようにフランジ１２に防水用グロメット１２０のフランジ取付部１２１が嵌合装着されたときに、フランジ取付部１２１の内面（嵌入溝１２１ａの内面）を係止突起１３側に付勢する。この可撓片１６によるフランジ取付部１２１の内面への付勢は、リップ部１２１ｂが密着可能なパネル１４０の適正板厚範囲が拡大するように、リップ部１２１ｂに係止突起１３側への弾性変位を付与する。
【００４３】
次に、弛み防止片１８について説明する。
本実施形態の弛み防止片１８は、切り込み１７の部分でリップ部１２１ｂに弛みが生じないように、フランジ取付部１２１の内面を係止突起１３側に付勢する突起である。各弛み防止片１８の先端部１８ａは、図３及び図４に示すように、可撓片１６から離れる方向に湾曲した鉤形に設定されている。また、各弛み防止片１８は、図５に示すように、先端部１８ａが寸法Ｌだけ、可撓片１６より係止突起１３側に突出するように寸法設定されている。そのため、図７に示すように、可撓片１６や弛み防止片１８の上に被さる嵌入溝１２１ａの係止突起１３側の内側面１２１ｃは、パネル１４０からの押圧力がリップ部１２１ｂに作用しない状態では、可撓片１６から浮いた状態になっている。
【００４４】
各弛み防止片１８が、リップ部１２１ｂの内側面１２１ｃを図７に示すように係止突起１３側に付勢することで、フランジ取付部１２１は図８に矢印Ｐで示すように、周方向に引っ張る張力が作用して、切り込み１７の部分で弛みが生じることが防止される。
【００４５】
更に、本実施形態では、各弛み防止片１８は、可撓片１６よりも強度が低く設定されている。具体的には、各弛み防止片１８は、リップ部１２１ｂが取付穴１４１の周縁に密着する際には、リップ部１２１ｂに作用する応力で、可撓片１６よりパネル１４０側に突出しない位置に変位又は塑性変形又は弾性変形するように、寸法設定や形状の選定により、機械的強度が設定されている。
【００４６】
防水用グロメット１２０が装着されたコネクタハウジング１０をパネル１４０に挿入して、図９に示すようにコネクタハウジング１０の係止突起１３を取付穴１４１の裏面側の周辺に係止させると、図１０に示すように係止突起１３とフランジ１２とが取付穴１４１の周縁を挟む取り付け状態となる。このとき、リップ部１２１ｂがパネル１４０の取付穴１４１の周縁に密着して、パネル１４０とコネクタハウジング１０との嵌合部が防水用グロメット１２０により封止された状態が得られる。また、図１１に示すように、パネル１４０からリップ部１２１ｂに作用する押圧力によって、弛み防止片１８が変位又は塑性変形又は弾性変形して、可撓片１６がリップ部１２１ｂの内側面１２１ｃを支える状態になる。
【００４７】
以上に説明した一実施形態のグロメット付きコネクタ１では、フランジ１２に取り付けられた防水用グロメット１２０は、複数の可撓片１６によって、リップ部１２１ｂがハウジング本体１１の外周の係止突起１３側へ弾性変位していて、フランジ１２が上記の可撓片１６を有しない単純な平板状の場合と比較すると、リップ部１２１ｂの可動範囲が増大する。
【００４８】
そのため、リップ部１２１ｂが適正な密着度となるパネル１４０の板厚範囲が広がり、例えば、パネル１４０の板厚が基準より小さい場合にも、パネル１４０に対してリップ部１２１ｂの密着性が低下することを抑止して、防水性の低下を防止することができる。また、例えば、パネル１４０の板厚が基準より大きい場合にも、フランジ１２の可撓片１６の撓み変位がリップ部１２１ｂに作用する圧縮を緩和して、リップ部１２１ｂの圧縮変形が過大になることを抑止するため、取り付け操作力が大きく増大することがなく、取り付け操作力の増大に起因した取り付け性の悪化を防止することができる。
【００４９】
従って、パネル１４０と防水用グロメット１２０の密着性やパネル１４０への取り付け時の操作力がパネル１４０の板厚のばらつきによって悪化することがなく、パネル１４０の板厚のばらつきに関係なく、良好な防水性と、取り付け性を維持することができる。
【００５０】
また、以上に説明した一実施形態のグロメット付きコネクタ１では、フランジ１２に装備される複数の可撓片１６は、フランジ１２の外周に切り込み１７を入れるだけでよく、可撓片１６の装備が容易になると同時に、可撓片１６の装備によってフランジ１２が重厚化することができる。
【００５１】
また、以上に説明した一実施形態のグロメット付きコネクタ１では、フランジ１２に装備された弛み防止片１８が切り込み１７の部分でリップ部１２１ｂに弛みが生じることを防止するため、パネル１４０とリップ部１２１ｂとの間に防水性の低下を招く弛み皺ができることを防止して、防水性の向上を図ることができる。
【００５２】
また、弛み防止片１８は、可撓片１６よりも強度が低いため、パネル１４０の板厚等に相応する可撓片１６の変形動作が、弛み防止片１８の剛性により阻害されることがない。従って、リップ部１２１ｂとパネル１４０との密着度を可撓片１６の変位動作により適正に維持することが可能になり、パネル１４０の板厚のばらつきに関係なく、安定した防水性を確保することが可能になる。
【００５３】
なお、本発明のグロメット付きコネクタ１は、前述した各実施形態に限定されるものでなく、適宜な変形、改良等が可能である。
【００５４】
例えば、可撓片や弛み防止片の具体的な形状、寸法、数量、配置箇所等は、本発明の目的を達成できるものであれば、任意であり、前述した各実施形態に限定されない。
【符号の説明】
【００５５】
１  グロメット付きコネクタ
１０  コネクタハウジング
１１  ハウジング本体
１２  フランジ
１３  係止突起
１６  可撓片
１７  切り込み
１８  弛み防止片
１２０  防水用グロメット
１２１  フランジ取付部
１２１ａ  嵌入溝
１２１ｂ  リップ部（パネル接触部）
１２１ｃ  内側面
１４０  パネル
１４１  取付穴
【図１】
0005806523.tif 000002
【図２】
0005806523.tif 000003
【図３】
0005806523.tif 000004
【図４】
0005806523.tif 000005
【図５】
0005806523.tif 000006
【図６】
0005806523.tif 000007
【図７】
0005806523.tif 000008
【図８】
0005806523.tif 000009
【図９】
0005806523.tif 000010
【図１０】
0005806523.tif 000011
【図１１】
0005806523.tif 000012
【図１２】
0005806523.tif 000013
【図１３】
0005806523.tif 000014
【図１４】
0005806523.tif 000015